【手続補正書】
【提出日】平成15年11月14日(2003.11.14)
【手続補正１】
【補正対象書類名】明細書
【補正対象項目名】特許請求の範囲
【補正方法】変更
【補正の内容】
【特許請求の範囲】
【請求項１】
表示画面を有する表示手段と、
複数の利用者がそれぞれ情報を入力可能な複数の入力手段と、
前記入力手段により入力された情報を識別可能に記憶する記憶手段と、
前記入力手段に対応する位置を示す位置表示標と、
前記入力手段により入力された情報とを前記表示手段上に表示させる情報表示制御手段と、
前記情報表示制御手段により前記入力された情報を前記表示手段に表示させる際に、当該情報を入力した入力手段に対応する位置表示標と同一種類の識別子を付加して表示させる識別子表示制御手段とを備えることを特徴とする電子情報表示装置。
【請求項２】
前記位置表示標と同一種類の識別子とは、前記位置表示標と同一の色又は模様を有する識別子であることを特徴とする請求項１記載の電子情報表示装置。
【請求項３】
前記位置表示標は、予め表示手段の外側の枠に設置、又は前記表示画面の外縁部に表示されていることを特徴とする請求項１又は２のいずれか１項記載の電子情報表示装置。
【請求項４】
表示画面を有する表示手段と、
情報を表示するための情報表示ウインドウを定義する情報表示ウインドウ定義手段と、
前記情報表示ウインドウ及び情報表示ウインドウに表示された情報を操作するメニューを定義するメニュー定義手段と、
前記メニュー定義手段により定義された複数のメニューを前記情報表示ウインドウ定義手段により定義された情報表示ウインドウを基準方向としてそれぞれ配置する多方向メニュー配置手段と、
前記メニュー配置手段によりそれぞれ配置されたメニューを前記表示画面に表示させる表示制御手段と
を備えることを特徴とする電子情報表示装置。
【請求項５】
前記メニュー配置手段は、前記情報表示ウインドウの中心部がメニューの上側となるように当該メニューの文字列の方向を変換するように構成されることを特徴とする請求項４記載の電子情報表示装置。
【請求項６】
前記メニュー配置手段は、前記メニューを表示する領域を示すメニューバーを、前記情報表示ウインドウの各辺に沿ってそれぞれ配置するように構成されることを特徴とする請求項４又は５記載の電子情報表示装置。
【請求項７】
複数の利用者がそれぞれ情報を入力可能な複数の入力手段と、
前記複数の入力手段と前記複数のメニューとの対応関係をそれぞれ定義する対応関係手段と，
前記対応関係にない入力手段による前記メニューの入力を制限する制限手段とを備えることを特徴とする請求項４〜６のいずれか１項記載の電子情報表示装置。
【請求項８】
表示画面を有する表示手段と、複数の利用者がそれぞれ情報を入力可能な複数の入力手段とを有する電子情報表示装置の表示制御方法において、
前記入力手段により入力された情報を前記表示手段上に表示し、
前記入力手段により入力された情報を前記表示手段に表示する際に当該情報を入力した入力手段に対応する位置を示す位置表示標と同一種類の識別子を付加して表示することを特徴とする表示制御方法。
【請求項９】
表示画面を有する表示手段を有する電子情報表示装置の表示制御方法において、
情報を表示するための情報表示ウインドウを定義し、
前記情報表示ウインドウ及び前記情報表示ウインドウに表示された情報を操作するメニューを定義し、
前記定義された複数のメニューを、前記定義された情報表示ウインドウを基準方向としてそれぞれ配置し、
前記配置されたメニューを前記表示画面に表示することを特徴とする表示制御方法。
【請求項１０】
表示画面を有する表示手段と、複数の利用者がそれぞれ情報を入力可能な複数の入力手段とを有する電子情報表示装置のコンピュータにより読み取り可能な形式で書かれたプログラムを記憶した記憶媒体であって、前記プログラムは、
前記入力手段により入力された情報を前記表示手段上に表示する工程と、
前記入力手段により入力された情報を前記表示手段に表示する際に当該情報を入力した入力手段に対応する位置を示す位置表示標と同一種類の識別子を付加して表示する工程とを含むことを特徴とする記憶媒体。
【請求項１１】
表示画面を有する表示手段を有する電子情報表示装置のコンピュータにより読み取り可能な形式で書かれたプログラムを記憶した記憶媒体であって、前記プログラムは、
情報を表示するための情報表示ウインドウを定義する工程と、
前記情報表示ウインドウ及び前記情報表示ウインドウに表示された情報を操作するメニューを定義する工程と、
前記定義された複数のメニューを、前記定義された情報表示ウインドウを基準方向としてそれぞれ配置する工程と、
前記配置されたメニューを前記表示画面に表示する工程と
を含むことを特徴とする記憶媒体。
【手続補正２】
【補正対象書類名】明細書
【補正対象項目名】００１４
【補正方法】変更
【補正の内容】
【００１４】
請求項２の電子情報表示装置は、上記請求項１記載の電子情報表示装置において、前記位置表示標と同一種類の識別子とは、前記位置表示標と同一の色又は模様を有する識別子であることを特徴とする。


【手続補正３】
【補正対象書類名】明細書
【補正対象項目名】００１５
【補正方法】削除
【補正の内容】
【手続補正４】
【補正対象書類名】明細書
【補正対象項目名】００１６
【補正方法】変更
【補正の内容】
【００１６】
請求項３の電子情報表示装置は、上記請求項１又は２のいずれか１項記載の電子情報表示装置において、前記位置表示標は、予め表示手段の外側の枠に設置、又は前記表示画面の外縁部に表示されていることを特徴とする。


【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】変更
【補正の内容】
【００１８】
請求項４の電子情報表示装置は、表示画面を有する表示手段と、情報を表示するための情報表示ウインドウを定義する情報表示ウインドウ定義手段と、前記情報表示ウインドウ及び情報表示ウインドウに表示された情報を操作するメニューを定義するメニュー定義手段と、前記メニュー定義手段により定義された複数のメニューを前記情報表示ウインドウ定義手段により定義された情報表示ウインドウを基準方向としてそれぞれ配置する多方向メニュー配置手段と、前記メニュー配置手段によりそれぞれ配置されたメニューを前記表示画面に表示させる表示制御手段とを備えることを特徴とする。


【手続補正７】
【補正対象書類名】明細書
【補正対象項目名】００１９
【補正方法】変更
【補正の内容】
【００１９】
請求項５の電子情報表示装置は、上記請求項４記載の電子情報表示装置において、前記メニュー配置手段は、前記情報表示ウインドウの中心部がメニューの上側となるように当該メニューの文字列の方向を変換するように構成されることを特徴とする。


【手続補正８】
【補正対象書類名】明細書
【補正対象項目名】００２０
【補正方法】変更
【補正の内容】
【００２０】
請求項６の電子情報表示装置は、上記請求項４又は５記載の電子情報表示装置において、前記メニュー配置手段は、前記メニューを表示する領域を示すメニューバーを、前記情報表示ウインドウの各辺に沿ってそれぞれ配置するように構成されることを特徴とする。


【手続補正９】
【補正対象書類名】明細書
【補正対象項目名】００２１
【補正方法】変更
【補正の内容】
【００２１】
請求項７の電子情報表示装置は、上記請求項４〜６のいずれか１項記載の電子情報表示装置において、複数の利用者がそれぞれ情報を入力可能な複数の入力手段と、前記複数の入力手段と前記複数のメニューとの対応関係をそれぞれ定義する対応関係手段と、前記対応関係にない入力手段による前記メニューの入力を制限する制限手段とを備えることを特徴とする。


【手続補正１０】
【補正対象書類名】明細書
【補正対象項目名】００２２
【補正方法】変更
【補正の内容】
【００２２】
請求項８の電子情報表示装置の表示制御方法は、表示画面を有する表示手段と、複数の利用者がそれぞれ情報を入力可能な複数の入力手段とを有する電子情報表示装置の表示制御方法において、前記入力手段により入力された情報を前記表示手段上に表示し、前記入力された情報を前記表示手段に表示する際に当該情報を入力した入力手段に対応する位置を示す位置表示標と同一種類の識別子を付加して表示することを特徴とする。


【手続補正１１】
【補正対象書類名】明細書
【補正対象項目名】００２３
【補正方法】削除
【補正の内容】
【手続補正１２】
【補正対象書類名】明細書
【補正対象項目名】００２４
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２７
【補正方法】変更
【補正の内容】
【００２７】
請求項９の電子情報表示装置の表示制御方法は、表示画面を有する表示手段を有する電子情報表示装置の表示制御方法において、前記情報を表示するための情報表示ウインドウを定義し、前記情報表示ウインドウ及び前記情報表示ウインドウに表示された情報を操作するメニューを定義し、前記定義された複数のメニューを、前記定義された情報表示ウインドウを基準方向としてそれぞれ配置し、前記配置されたメニューを前記表示画面に表示することを特徴とする。


【手続補正１６】
【補正対象書類名】明細書
【補正対象項目名】００２８
【補正方法】削除
【補正の内容】
【手続補正１７】
【補正対象書類名】明細書
【補正対象項目名】００２９
【補正方法】削除
【補正の内容】
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
請求項１０の記憶媒体は、表示画面を有する表示手段と、複数の利用者がそれぞれ情報を入力可能な複数の入力手段とを有する電子情報表示装置のコンピュータにより読み取り可能な形式で書かれたプログラムを記憶した記憶媒体であって、前記プログラムは、前記入力手段により入力された情報を前記表示手段上に表示する工程と、前記入力された情報を前記表示手段に表示する際に当該情報を入力した入力手段に対応する位置を示す位置表示標と同一種類の識別子を付加して表示する工程とを含むことを特徴とする。


【手続補正２０】
【補正対象書類名】明細書
【補正対象項目名】００３２
【補正方法】削除
【補正の内容】
【手続補正２１】
【補正対象書類名】明細書
【補正対象項目名】００３３
【補正方法】削除
【補正の内容】
【手続補正２２】
【補正対象書類名】明細書
【補正対象項目名】００３４
【補正方法】変更
【補正の内容】
【００３４】
請求項１１の記憶媒体は、表示画面を有する表示手段を有する電子情報表示装置のコンピュータにより読み取り可能な形式で書かれたプログラムを記憶した記憶媒体であって、前記プログラムは、情報を表示するための情報表示ウインドウを定義する工程と、前記情報表示ウインドウ及び前記情報表示ウインドウに表示された情報を操作するメニューを定義する工程と、前記定義された複数のメニューを、前記定義された情報表示ウインドウを基準方向としてそれぞれ配置する工程と、前記多方向に配置されたメニューを前記表示手段に表示する工程とを含むことを特徴とする。


【手続補正２３】
【補正対象書類名】明細書
【補正対象項目名】００３５
【補正方法】削除
【補正の内容】
【手続補正２４】
【補正対象書類名】明細書
【補正対象項目名】００３６
【補正方法】削除
【補正の内容】
【手続補正２５】
【補正対象書類名】明細書
【補正対象項目名】００３７
【補正方法】削除
【補正の内容】
【手続補正２６】
【補正対象書類名】明細書
【補正対象項目名】００７３
【補正方法】変更
【補正の内容】
【００７３】
【発明の効果】
以上説明したように、請求項１の電子情報表示装置または請求項８の電子情報表示装置の表示制御方法によれば、入力手段により入力された情報を表示手段上に表示し、入力された情報を前記表示手段に表示する際に当該情報を入力した入力手段に対応する位置を示す位置表示標と同一種類の識別子を表示するようにしたので、表示されたウインドウがどの利用者に属するウインドウであるかを容易に判別することができるという効果が得られる。


【手続補正２７】
【補正対象書類名】明細書
【補正対象項目名】００７４
【補正方法】変更
【補正の内容】
【００７４】
請求項２の電子情報表示装置によれば、位置表示標と同一種類の識別子とは位置表示標と同一の色または模様を有している識別子としたので、ウインドウ枠からどの利用者に属するウインドウであるかを視覚的に容易に識別することができるという効果が得られる。


【手続補正２８】
【補正対象書類名】明細書
【補正対象項目名】００７５
【補正方法】変更
【補正の内容】
【００７５】
請求項３の電子情報表示装置によれば、位置表示標は、予め表示手段の外側の枠に設置、又は表示画面の外縁部に表示したので、識別子を任意の模様或いは色に容易に変更することができるという効果が得られる。


【手続補正２９】
【補正対象書類名】明細書
【補正対象項目名】００７６
【補正方法】変更
【補正の内容】
【００７６】
請求項４乃至請求項６の電子情報表示装置によれば、情報を表示するための情報表示ウインドウを定義し、情報表示ウインドウ及び前記情報表示ウインドウに表示された情報を操作するメニューを定義し、定義されたメニューを、定義されたウインドウを基準方向としてそれぞれ配置し、配置されたメニューを前記表示画面に表示するようにしたので、ウインドウメニューが見やすく、利用者のウインドウ操作をより容易にすることができるという効果が得られる。


【手続補正３０】
【補正対象書類名】明細書
【補正対象項目名】００７７
【補正方法】変更
【補正の内容】
【００７７】
請求項１０の記憶媒体によれば、表示画面を有する表示手段と、複数の利用者がそれぞれ情報を入力可能な複数の入力手段とを有する電子情報表示装置のコンピュータにより読み取り可能な形式で書かれたプログラムを記憶した記憶媒体であって、前記プログラムは、前記入力手段により入力された情報を前記表示手段上に表示する工程と、前記入力手段により入力された情報を前記表示手段に表示する際に当該情報を入力した入力手段に対応する位置を示す位置表示標と同一種類の識別子を表示する工程とを含むようにしたので、従来の表示装置に本記憶媒体に記憶されているプログラムを実行させることにより上述した請求項１記載の電子情報表示装置と同等の効果を得ることができるという効果が得られる。


【手続補正３１】
【補正対象書類名】明細書
【補正対象項目名】００７８
【補正方法】変更
【補正の内容】
【００７８】
請求項１１の記憶媒体によれば、表示画面を有する表示手段を有する電子情報表示装置のコンピュータにより読み取り可能な形式で書かれたプログラムを記憶した記憶媒体であって、前記プログラムは、情報を表示するための情報表示ウインドウを定義する工程と、前記情報表示ウインドウ及び前記情報表示ウインドウに表示された情報を操作するメニューを定義する工程と、前記定義された複数のメニューを、前記定義された情報表示ウインドウを基準方向としてそれぞれ配置する工程と、前記配置されたメニューを前記表示手段に表示する工程とを含むようにしたので、従来の表示装置に本記憶媒体に記憶されているプログラムを実行させることにより上述した請求項４記載の電子情報表示装置と同等の効果を得ることができるという効果が得られる。